(57)【特許請求の範囲】
【請求項１】
針が結合された先端部と、前記先端部に結合され、内部に空間が備えられ、前記空間の開口端部にシリンダーフランジが形成されたシリンダーと、前記空間内でピストンに連結されたロッドバーを指で押し込むとか引き出すことで、これに連動するピストンによって空間の圧力を変化させてなる正圧または負圧によって針を通じて薬物を注入するとか抽出する圧力手段とからなる注射器において、
前記ロッドバーが補助装置を貫通するように前記シリンダーフランジに着脱可能に補助装置が結合され、前記補助装置に注射器に平行に配置されてヒンジ連結されたレバーが手の握力によってテコ原理で回転運動すれば、運動変換手段によって直線運動に変換され、ロッドバーとピストンが増加した力によって移動するように構成され、
前記補助装置は、シリンダーフランジに固定され、シリンダーと一直線上に配置されるメインブロックを備え、
前記メインブロックには、下部が開口した可動空間と固定空間が形成され、ロッドバーが貫通するように貫通孔が形成された可動ブロックと固定ブロックがそれぞれ配置され、
前記可動ブロックと固定ブロックが弾性部材によって可動空間と固定空間内で一方向に付勢され、メインブロックの前方にヒンジ連結されたレバーの回動によって前記レバーの他端に形成された加圧突起が可動ブロックの下部を押して傾きを変化させながら後進させて、貫通孔の内周面上側及び下側のエッジが下方にロッドバーの外周面を圧迫しながらロッドバーをシリンダーの後方に移動させることによって負圧が発生し、
握力を解除させれば、レバーがヒンジ連結部分に装着されたスプリングによって元の状態に戻ると共に、弾性部材によって可動ブロックがロッドバーに対して直立状態を維持して次の前進移動を準備するように構成され、
前記シリンダーの空間入口にはロッドバーが貫通するガイドブロックが結合されて前記ロッドバーの移動を支持するように構成され、
前記メインブロックには、前方に固定リブが形成された固定クリップが設置され、シリンダーフランジが回転によって固定リブに着脱可能に結合されるように構成されたことを特徴とする、注射器の圧力発生及び圧力表示装置。
【請求項２】
前記固定ブロックは固定空間に設置され、前記固定ブロックの下部が一部露出されるように設置され、前記ロッドバーによって貫通され、前記固定ブロックは弾性部材によって傾くように設置され、貫通孔の内周面上側及び下側がロッドバーの外周面を下方に圧迫して、可動ブロックによって移動したロッドバーが負圧によって移動しないように固定させるようにし、
前記ロッドバーの固定状態を解除する場合、固定ブロックの下部を引っ張ってロッドバーに対して直立した状態に転換させることで、前記固定ブロックの貫通孔がロッドバーの外周面圧迫状態を解除するように構成されたことを特徴とする、請求項１に記載の注射器の圧力発生及び圧力表示装置。
【請求項３】
前記運動変換手段は、補助装置に中心軸を介してピニオンギアが回転可能に設置されて、ロッドバーの一端に長手方向に形成されたラックギアと噛み合うようにし、前記ピニオンギアの内部に一方向にだけ傾斜角を持つ内接ギアが設置され、前記レバーに固定された回転具に設置されたスプリングによって弾力的に内接ギアと噛み合うラッチギアがレバーによってピニオンが一方向にだけ回転するように内接ギアに回転力を伝達するように構成されたことを特徴とする、請求項１に記載の注射器の圧力発生及び圧力表示装置。
【請求項４】
前記補助装置の後方には補助ラッチギアがヒンジ連結され、スプリングによって一端が上方に弾力的に位置するようにして、注射器で発生する負圧によってロッドバーの移動を制御するように構成されたことを特徴とする、請求項３に記載の注射器の圧力発生及び圧力表示装置。
【請求項５】
前記ピストンに握力を伝達する過程中に弾性部材を経るようにすることで、伝達される圧力によって弾性部材の引っ張られる形状の変化量が変わるようにし、前記弾性部材の形状変化量の測定によって外部から圧力の大きさを視認するように構成されたことを特徴とする、請求項１に記載の注射器の圧力発生及び圧力表示装置。
【請求項６】
前記ピストンに握力を伝達する過程中にロッドバーに結合された弾性部材を圧迫するようにすることで、伝達される圧力の大きさによって弾性部材が圧縮される形状の変化量が変わるようにして、前記弾性部材の形状変化量の測定によって外部から圧力の大きさを視認するように構成されたことを特徴とする、請求項１に記載の注射器の圧力発生及び圧力表示装置。
【請求項７】
前記ピストンは二重構造の第１ピストンと第２ピストンからなり、これらが空間に結合され、前記第１ピストンの一側面に確認部材が形成され、前記第２ピストンには確認部材を収容する凹部が形成され、前記第１ピストンの確認部材と第２ピストンの凹部の間に前記弾性部材が介装され、ロッドバー及び第２ピストンに連動する弾性部材によって第１ピストンを移動させて空間に負圧または正圧を選択的に発生させ、前記確認部材の外周面に表示された単位目盛りによって、前記弾性部材の自体弾性による変化した形状の長さによって空間で発生した負圧または正圧の程度を確認することができるように構成されたことを特徴とする、請求項５に記載の注射器の圧力発生及び圧力表示装置。
【請求項８】
ロッドバーと、前記ロッドバーの外周面にスライド可能に結合されるハウジングと、前記ハウジングの一端に固定されたカバーとを含み、前記ロッドバーの一端にはボタンが固定され、前記ボタンはカバーの内部に一部収容され、前記カバーの内部に弾性部材が装着され、レバーによってハウジングが移動すれば、弾性部材が圧縮され、弾性部材の圧縮力がシリンダー空間の圧力以上の場合、ボタンを後方に間接移動させてロッドバーを連動させることで、空間内部でピストンが移動して負圧を発生させるように構成され、
前記ボタンとロッドバーの外周面に単位目盛りが表示されることによって前記弾性部材の自体弾性による可変形状の長さを確認することができるようにすることにより、空間で発生した負圧または正圧の程度を正確に把握するように構成されたことを特徴とする、請求項６に記載の注射器の圧力発生及び圧力表示装置。
【発明の詳細な説明】
【技術分野】
【０００１】
本発明は注射器の圧力発生及び圧力表示装置に係り、より詳しくは注射器を通じて人体の組職物を抽出するとか脂肪及び薬物を注入する注射施術において片手の握力で手軽く圧力を発生させるとともに注射器の圧力の大きさを容易に視認することができるようにする注射器の圧力発生及び圧力表示装置に関する。
【背景技術】
【０００２】
注射器とは薬液を生体の組職内に注入する器具を言うもので、その構成は針が結合された先端部と、前記先端部と結合され、空間を備えたシリンダーと、前記シリンダーの空間に挿合されて引出しまたは押込み動作によって空間の圧力を上昇させることで発生する正圧または負圧によって針を通じて薬物を注入するとか人体の組職物を抽出するロッドバーとからなる。
【０００３】
ここで、シリンダーの末端とロッドバーの末端にはフランジがそれぞれ突設される。
【０００４】
このように構成される注射器で薬物を人体に注入するとか人体の組職物を抽出しようとする場合には、両手でシリンダーとロッドバーをそれぞれ握った状態で針を人体に刺し込んだ後、ロッドバーを後方に引き出す動作によって負圧を発生させて人体の組職を抽出し、あるいは前記ロッドバーを前方に押し込む動作によって正圧を発生させて人体に薬物を注入することになる。
【０００５】
しかし、従来技術による注射器による薬物注入または人体の組職物の抽出の際、通常は、注入または抽出し易くなるように、片手は注射対象部位を擦るなどすると共に注射対象者の姿勢を矯正するのに使われ、他の手で注射器のロッドバーを前進または後進させることになる。
【０００６】
この際、片手による注射器の注射動作は指でシリンダーとロッドバーのフランジをそれぞれ把持した状態で前進または後進させることになるが、注射動作を確実に行えず、注射施術の間違えるとのおそれがあった。
【０００７】
大容量注射器で多量の薬物を人体に注入するとか粘性がある薬物を注入する場合、注射器の空間の正圧が高くなると、シリンダーに嵌合された先端部が分離される問題点があった。
【０００８】
身体の形態を矯正するための脂肪移植施術において、高粘性の人体の脂肪を抽出するとき、注射器の空間の負圧が高くなると、ロッドバーを引き出す作動を片手で果たしにくい問題点があった。
【０００９】
脂肪吸入施術の際、針を人体に刺し込んだ後、注射器からピストンの装着されたロッドバーを後方に引いて注射器の内部に負圧を発生させて針を通じて脂肪を注射器の空間内部に吸入することになる。この際、施術者の間違いによって針の先端が空気に露出される場合、注射器の内部の負圧が消失して脂肪の吸入がそれ以上なされない。
【００１０】
人体の内部に薬物を注入する過程において、薬物の相異なる粘性に合わせて施術者が一定に力を加えて正圧を発生させて薬物を注入しなければならないが、正圧が高すぎる場合、人体の注入部位の周辺組職に損傷を与えるとの問題点がある。
【００１１】
結局のところ、注射器が安定的に正圧または負圧を発生させるようにすることは専ら施術者の手で感じられる物理的抵抗によって判断するため、脂肪及び薬物の抽出及び注入の施術が精密に行いにくいとの問題点があった。
【発明の概要】
【発明が解決しようとする課題】
【００１２】
本発明の目的は、注射器によって人体の組職物を片手の握力でも手軽に外部に抽出するようにすることにある。
【００１３】
また、本発明の目的は、負圧の発生中にも圧力状態を維持しながら負圧を持続的に発生させることができるようにすることにある。
【００１４】
また、本発明の目的は、簡単な機械的動作で負圧を解除できるようにすることにある。
【００１５】
また、本発明の目的は、注射器内で負圧または正圧を選択的に発生させることができるようにすることにある。
【００１６】
また、本発明の目的は、注射器を通じて脂肪及び薬物を注入するとか人体組職を抽出するための施術の際、注射器の内部空間の圧力状態を肉眼で確認することができるようにすることにある。
【００１７】
特に、本発明の目的は、注射器の空間に負圧または正圧の変化の状態を目盛りで確認することができるようにして、より精密な変化を施術者が視認しながら施術することができるようにすることにある。
【００１８】
そして、本発明の目的は、従来の手動注射器または単純増圧注射器において圧力の過負荷が発生した場合に、補償するために間接伝達方式で圧力を発生させて圧力の過負荷を防止することにある。
【課題を解決するための手段】
【００１９】
前述した目的を達成するための本発明の注射器の圧力発生及び圧力表示装置は、針が結合された先端部と、前記先端部に結合され、内部に空間が備えられ、前記空間の開口端部にシリンダーフランジが形成されたシリンダーと、前記空間内でピストンに連結されたロッドバーを指で押し込むとか引き出すことで、これに連動するピストンによって空間の圧力を変化させてなる正圧または負圧によって針を通じて薬物を注入するとか抽出する圧力手段とからなる注射器において、前記ロッドバーが補助装置を貫通するように前記シリンダーフランジに着脱可能に補助装置が結合され、前記補助装置に注射器に平行に配置されるようにヒンジ連結されたレバーが手の握力によってテコ原理で回転運動すれば、運動変換手段によって直線運動に変換され、その力によりロッドバーとピストンが移動するように構成される。
【００２０】
本発明によれば、前記補助装置は、シリンダーフランジに固定され、シリンダーと一直線上に配置されるメインブロックを備え、前記メインブロックには、下部が開口した可動空間と固定空間が形成され、ロッドバーが貫通するように貫通孔が形成された可動ブロックと固定ブロックがそれぞれ配置され、前記可動ブロックと固定ブロックが弾性部材によって可動空間と固定空間内で一方向に付勢され、メインブロックの前方にヒンジ連結されたレバーの回動によって前記レバーの他端に形成された加圧突起が可動ブロックの下部を押して傾きを変化させながら後進させて、貫通孔の内周面上下エッジが下方にロッドバーの外周面を圧迫しながらロッドバーをシリンダーの後方に移動させることによって負圧が発生し、握力を解除させれば、レバーがヒンジ連結部分に装着されたスプリングによって元の状態に戻るとともに、弾性部材によって可動ブロックがロッドバーに対して直立状態を維持して次の前進移動を準備するように構成される。
【００２１】
本発明によれば、前記シリンダーの空間入口にはロッドバーが貫通するガイドブロックが結合されて前記ロッドバーの移動を支持するように構成される。
【００２２】
本発明によれば、前記メインブロックには、前方に固定リブが形成された固定クリップが設置され、シリンダーフランジが回転によって固定リブに着脱可能に結合されるように構成される。
【００２３】
本発明によれば、前記固定ブロックは固定空間に設置され、前記固定ブロックの下部が一部露出されるように設置され、前記ロッドバーによって貫通され、前記固定ブロックは弾性部材によって傾くように設置され、貫通孔の内周面上下部がロッドバーの外周面を下方に圧迫して、可動ブロックによって移動したロッドバーが負圧によって移動しないように固定させるようにし、前記ロッドバーの固定状態を解除する場合、固定ブロックの下部を引っ張ってロッドバーに対して直立した状態に転換させることで、前記固定ブロックの貫通孔がロッドバーの外周面圧迫状態を解除するように構成される。
【００２４】
本発明によれば、前記運動変換手段は、補助装置に中心軸を介してピニオンギアが回転可能に設置されて、ロッドバーの一端に長手方向に形成されたラックギアと噛み合うようにし、前記ピニオンギアの内部に一方向にだけ傾斜角を持つ内接ギアが設置され、前記レバーに固定された回転具に設置されたスプリングによって弾力的に内接ギアと噛み合うラッチギアがレバーによってピニオンが一方向にだけ回転するように内接ギアに回転力を伝達するように構成される。
【００２５】
本発明によれば、前記補助装置の後方には補助ラッチギアがヒンジ連結され、スプリングによって一端が上方に弾力的に位置するようにして、注射器で発生する負圧によってロッドバーの移動を制御するように構成される。
【００２６】
本発明によれば、前記ピストンに握力を伝達する過程中に弾性部材を経るようにすることで、伝達される圧力によって弾性部材の引っ張られる形状の変化量が変わるようにし、前記弾性部材の形状変化量の測定によって外部から圧力の大きさを視認するように構成される。
【００２７】
本発明によれば、前記ピストンに握力を伝達する過程中にロッドバーに結合された弾性部材を圧迫するようにすることで、伝達される圧力の大きさによって弾性部材が圧縮される形状の変化量が変わるようにして、前記弾性部材の形状変化量の測定によって外部から圧力の大きさを視認するように構成される。
【００２８】
本発明によれば、前記ピストンは二重構造の第１ピストンと第２ピストンからなり、これが空間に結合され、前記第１ピストンの一側面に確認部材が形成され、前記第２ピストンには確認部材を収容する凹部が形成され、前記第１ピストンの確認部材と第２ピストンの凹部の間に前記弾性部材が介装され、ロッドバー及び第２ピストンに連動する弾性部材によって第１ピストンを移動させて空間に負圧または正圧を選択的に発生させ、前記確認部材の外周面に表示された単位目盛りによって、つまり前記弾性部材の自体弾性による可変した形状の長さによって空間で発生した負圧または正圧の程度を確認することができるように構成される。
【００２９】
本発明によれば、ロッドバーと、前記ロッドバーの外周面にスライド可能に結合されるハウジングと、前記ハウジングの一端に固定されたカバーとを含み、前記ロッドバーの一端にはボタンが固定され、前記ボタンはカバーの内部に一部収容され、前記カバーの内部に弾性部材が装着され、レバーによってハウジングが移動すれば、弾性部材が圧縮され、弾性部材の圧縮力がシリンダー空間の圧力以上の場合、ボタンを後方に間接移動させてロッドバーを連動させることで、空間内部でピストンが移動して負圧を発生させるように構成され、前記ボタンとロッドバーの外周面に単位目盛りが表示されることによって前記弾性部材の自体弾性による可変形状の長さを確認することができるようにすることにより、空間で発生した負圧または正圧の程度を正確に把握するように構成される。
【００３０】
本発明によれば、前記弾性部材はゴムまたはスプリングからなる。
【発明の効果】
【００３１】
前述したように、本発明の注射器の圧力発生及び圧力表示装置は、シリンダーから伸びるように装着されて片手の握力によって回動するレバーに連動する可動ブロックによってロッドバーを一方向に段階的に移動させることができるようにして、注射器を通じて人体組職物を片手の握力でも手軽く外部に抽出することができるようにする効果がある。
【００３２】
また、本発明の注射器の圧力発生及び圧力表示装置は、片手の繰り返し動作によってレバーの回動に連動してロッドバーを段階的に移動させるとき、シリンダーから伸びるように装着されたメインブロックに設置された固定ブロックによってロッドバーが負圧によって反対方向に移動することを防止して、負圧の発生中にも圧力状態を一定に維持させながら負圧を持続的に発生させることができるようにすることで、人体組職物抽出の効率を向上させるようにする効果がある。
【００３３】
また、本発明の注射器の圧力発生及び圧力表示装置は、前記メインブロックに装着されて負圧状態を維持させる役目をする固定ブロックの傾きを変化させてロッドバーの固定状態を解除させることができるようにすることで、固定ブロックの簡単な傾き転換によってシリンダー空間の負圧状態を簡便に解除するようにすることで、圧力発生補助装置の操作性を向上させるとともに負圧及び正圧を選択的に発生させることができる効果がある。
【００３４】
また、本発明の注射器の圧力発生及び圧力表示装置は、ア）従来の手動注射器または単純増圧注射器において圧力の過負荷が発生するとの問題点を補償するために、空間の内壁に近接するように第１ピストンと第２ピストンを結合し、前記第１、２ピストンの間に弾性部材を結合し、第２ピストンに連結されてシリンダーの空間の外部に伸びたロッドバーによって第２ピストンを移動させて弾性空間の圧力で第１ピストンを連動させることによって空間の内部に負圧または正圧を発生させるとか、イ）前記シリンダーの外部に露出されたロッドバーの末端にハウジングをスライド可能に結合し、ロッドバーとハウジングの末端に固定されたそれぞれのボタンとカバーを結合し、カバーの内部に弾性部材を配設して、レバーによるハウジングの移動がカバーと弾性部材を介してボタンに順次伝達されて前記ボタンと固定されたロッドバーによってピストンを連動させて負圧または正圧を発生させることにより、前記弾性部材による力の間接伝達方式で圧力を発生させて圧力の過負荷を防止して注射施術の間違いを最小化することができるようにする効果がある。
【００３５】
そして、本発明の注射器の圧力発生及び圧力表示装置は、注射器で負圧または正圧を発生させるとき、第１ピストンに設置された確認部材に単位目盛りを表示して、前記弾性部材の自体弾性による形状変化の状態を肉眼でも確認することができるようにすると共に単位目盛りによっても圧力変化を確認することができるようにして、現在の注射器の空間で発生した圧力の大きさを細密に把握することができ、脂肪及び薬物の注入または人体組職の抽出のための精密な注射施術ができるようにする効果がある。
【００３６】
また、本発明の注射器の圧力発生及び圧力表示装置は、ロッドバー、ハウジング、カバー、及びボタンからなる圧力表示装置において、ロッドバーとボタンに単位目盛りを表示することで、注射器の外部から圧力の変化状態をより手軽くチェックすることができるようにして圧力の視認性を向上させるようにする効果がある。
【図面の簡単な説明】
【００３７】
【図１】第１の実施例における補助装置をシリンダーに装着した状態を示す斜視図
【図２】図１のシリンダー補及び助装置の分解斜視図
【図３】図１に示す第１の実施例の補助装置の段階別作動状態を示す断面図
【図４】図１に示す第１の実施例の補助装置の段階別作動状態を示す断面図
【図５】図１に示す第１の実施例の補助装置の段階別作動状態を示す断面図
【図６】図１に示す第１の実施例の補助装置の段階別作動状態を示す断面図
【図７】図１に示す第１の実施例の補助装置の段階別作動状態を示す断面図
【図８】第２の実施例の運動変換手段の作動状態を説明する断面図
【図９】第２の実施例の運動変換手段の作動状態を説明する断面図
【図１０】第２の実施例の運動変換手段の作動状態を説明する断面図
【図１１】第３の実施例の射器圧力発生装置に表示装置を装着した状態を示す断面図
【図１２】第３の実施例の射器圧力発生装置に表示装置を装着した状態を示す断面図
【図１３】第４の実施例の射器圧力発生装置に表示装置を装着した状態を示す断面図
【図１４】図１３の実施例の分解断面図
【図１５】第２の実施例の注射器圧力発生装置に第４の実施例の表示装置を装着した状態を示す断面図
【図１６】第２の実施例の注射器圧力発生装置に第３の実施例の表示装置を装着した状態を示す断面図
【発明を実施するための形態】
【００３８】
以下、添付図面に基づいて本発明の好適な実施例を詳細に説明する。
【００３９】
まず、図面において、同一の構成要素または部品はできるだけ同一参照符号で示した。本発明の説明において、関連の公知の機能あるいは構成についての具体的な説明は本発明の要旨をあいまいにしないようにするために省略する。
【００４０】
図１は本発明の補助装置をシリンダーに装着した状態を示した斜視図、図２は本発明の補助装置をシリンダーに装着した状態を示した分解斜視図、図３〜図７は本発明の補助装置の段階別作動状態を示した断面図、図８〜図１０は本発明の運動変換手段の他の実施例を示した作動フローチャート、図１１及び図１２は本発明の注射器圧力発生装置に表示装置を装着した状態を示した断面図、図１３〜図１６は本発明の注射器圧力発生装置に他の実施例の表示装置を装着した状態を示した断面図である。
【実施例１】
【００４１】
まず、図１〜図７に示すように、本発明の注射器の圧力発生及び圧力表示装置が適用される注射器は次のように構成される。
【００４２】
注射器１００は、針１１１が結合された先端部１１０と、前記先端部１１０と結合され、内部に空間１２１を備え、前記空間１２１の開口端部にシリンダーフランジ１２２が形成されたシリンダー１２０と、前記空間１２１に結合されたピストン１３１と連結されたロッドバー１３３を指で押し込むとか引き出すことで、連動するピストン１３１によって空間１２１の圧力を変化させることによって発生する正圧または負圧によって針を通じて薬物を注入するとか抽出する圧力手段１３０とからなる。
【００４３】
前記先端部１１０はシリンダー１２０に着脱可能であり、前記針１１１が装着された先端部１１０の反対側端部は突条（符号なし）が形成される。
【００４４】
図２に示すようにシリンダー１２０は円筒状で、前記シリンダー１２０の空間１２１（図５参照）にはロッドバー１３３と連結されたピストン１３１から成る圧力手段１３０が装着されることで、前記ピストン１３１の移動方向によって空間１２１で負圧または正圧を発生させる。
【００４５】
負圧は、ロッドバー１３３を介してピストン１３１をシリンダー１２０の後方に引き出すことによって空間１２１に発生し、人体に刺し込まれた針１１１を通じて空間１２１に人体の液状組職を抽出する時に用いる。
【００４６】
一方、正圧は、ロッドバー１３３を介してピストン１３１をシリンダー１２０の前方に押し込むことによって発生して、人体に刺し込まれた針１１１を通じて空間１２１に充填された液状の薬物を人体に注入するときに用いる。
【００４７】
このように構成される注射器１００に、前記シリンダーフランジ１２２に着脱可能に形成された補助装置２００を、前記ロッドバー１３３が補助装置２００を貫通するように結合し、前記補助装置２００に注射器に平行にヒンジ連結されたレバー２４０が手の握力によってテコ原理で発生する回転力が、運動変換手段２２０によって直線運動に変換されてロッドバー１３３及びピストン１３１が増大した力によって低速で移動する。
【００４８】
前記補助装置２００は、ロッドバー１３３が貫通するように結合され、シリンダーフランジ１２２に固定されたメインブロック２１０を備える。
【００４９】
前記メインブロック２１０は、前方には固定リブ２１６が形成された固定クリップ２１５が回転によってシリンダーフランジ１２２に結合されることで、シリンダー１２０のシリンダーフランジ１２２にメインブロック２１０が一直線上に伸びるように固定され、前記シリンダー１２０から露出したロッドバー１３３はメインブロック２１０を貫通するようになる（図３参照）。
【００５０】
図３に示すように、前記ロッドバー１３３はピストン１３１に螺合され、前記シリンダー１２０の空間１２１の入口にロッドバー１３３が貫通するガイドブロック２５０が結合され、前記ガイドブロック２５０は固定クリップ２１５を貫通してメインブロック２１０側に固定されることにより、前記ガイドブロック２５０がロッドバー１３３の移動を支持するようになる。
【００５１】
このようにしてシリンダー１２０に結合されるメインブロック２１０の次のように構成される。
【００５２】
前記メインブロック２１０には運動変換手段２２０が備えられる。
【００５３】
前記運動変換手段２２０は、下部が開口した可動空間２１１と固定空間２１２がそれぞれ画成され、これに前記可動ブロック２２１と固定ブロック２２２がそれぞれ設置される。
【００５４】
ここで、可動ブロック２２１と固定ブロック２２２には貫通孔２１３がそれぞれ形成され、これに前記ロッドバー１３３が貫通して結合される。
【００５５】
このように、前記メインブロック２１０には可動ブロック２２１と固定ブロック２２２がそれぞれ離隔して設置される。この際、ロッドバー１３３を貫通させた後、可動ブロック２２１と固定ブロック２２２を弾性部材１５０によってメインブロック２１０の一方向に密着させる。
【００５６】
そして、前記メインブロック２１０の前方下部には、シリンダー１２０から平行に離隔してヒンジ結合されるスプリング２４１付きレバー２４０が装着され、レバー２４０の片側に突出した加圧突起２４２は可動ブロック２２１の前方下部に位置する。
【００５７】
ここで、可動ブロック２２１と固定ブロック２２２の直立または傾き方向によってロッドバー１３３の移動または固定状態が決定される。
【００５８】
すなわち、図３に示すように、最初に可動ブロック２２１はロッドバー１３３に対して直立した状態を維持し、前記固定ブロック２２２は上部がロッドバー１３３の末端方向に傾いた状態で配置される。
【００５９】
その後、図４及び図５に示すように、レバー２４０の回動によって加圧突起２４２が可動ブロック２２１の下部を押して傾きを変化させて、貫通孔２１３の内周面の上側及び下側エッジがロッドバー１３３の外周面を下方に圧迫した状態で後進させてロッドバーをシリンダー１２０の後方に移動させることにより、前記シリンダー１２０の空間１２１に負圧を発生させる。
【００６０】
ついで、レバー２４０に加えた握力を解除すれば、レバー２４０が図６に示す元の状態に戻ると共に弾性部材１５０によって可動ブロック２２１がロッドバー１３３に対して直立状態を維持し、次の前進移動を準備する。
【００６１】
この際、固定ブロック２２２は弾性部材１５０によって傾くように設置され、貫通孔２１３の内周面の上側及び下側がロッドバー１３３の外周面を下方に圧迫することで、可動ブロック２２１によって移動したロッドバー１３３が負圧によって移動しないように固定させる。
【００６２】
これにより、レバー２４０によって可動ブロック２２１の次の前進移動を準備するとき、負圧によってロッドバー１３３が遊動することが防止される。
【００６３】
前記のような方法により、シリンダー１２０に延設されて片手の握力によって回動するレバー２４０に連動する可動ブロック２２１によって、図３〜図６に示すようにロッドバー１３３を一方向に段階的に移動させることができるようにして、注射器１００を通じて人体組職を片手の握力でも手軽く外部に抽出することができる。
【００６４】
また、前記メインブロック２１０に装着され、負圧状態を維持させる役目をする固定ブロック２２２の傾きを変化させてロッドバー１３３との固定状態を解除させることができるようにすることで、固定ブロック２２２の傾き簡単に転換することによって、シリンダー１２０の空間１２１の負圧状態を簡便に解除することができ、正圧が発生することができるようにして圧力発生補助装置の操作性を向上させることができる。
【実施例２】
【００６５】
図８〜図１０には、本発明の注射器用圧力発生装置の他の実施例を示す。
【００６６】
前記運動変換手段２２０は、補助装置２００に中心軸２６２を介してピニオンギア２６０が回転可能に設置され、ロッドバー１３３の片側に長手方向に形成されたラックギア１３３ａと噛み合う。
【００６７】
そして、前記ピニオンギア２６０の内部には一方向にだけ傾斜角を持つ内接ギア２６１が設けられ、前記レバーに固定された回転具に設置されたスプリング２８１によって弾力的に内接ギア２６１と噛み合うラッチギア２８０がレバー２４０によってピニオンギア２６０が一方向にだけ回転するように内接ギア２６１に回転力を伝達するようにする。
【００６８】
すなわち、図９に示すように手の握力でレバー２４０をテコ原理で回転させれば、補助装置２００に設置された中心軸２６２を中心に回転具２７０を連動させる。
【００６９】
前記回転具２７０の外周面には少なくとも一つ以上の凹部が形成され、前記凹部の内部にはラッチギア２８０がヒンジ連結され、前記ラッチギア２８０の一端がスプリング２８１によって弾力的に外方に付勢されるように設置される。
【００７０】
前記内接ギア２６１とラッチギア２８０は一方向の角度で互いに噛み合うように形成されているので、ラッチギア２８０によってピニオンギア２６０が一方向にだけ回転するようにし、前記ピニオンギア２６０の回転によってラックギア１３３ａが後方に直線運動してピストンを空間の内部で連動させて負圧が発生するようにする。
【００７１】
図１０に示すように、前記補助装置の後方には補助ラッチギア２９０がヒンジ連結され、スプリング２８１によって一端が上方に弾力的に付勢されることにより、注射器で発生する負圧によるロッドバー１３３の移動を制御するようにして、負圧によってロッドバー１３３が元の位置に復元することを防止する。
【実施例３】
【００７２】
図１１及び図１２に示す実施例では、注射器の圧力発生装置には圧力表示装置がさらに備えられる。
【００７３】
前記圧力表示装置は、前記ピストン１３１に握力を伝達する過程で弾性部材１５０を経るようにして、伝達される圧力の大きさによって弾性部材１５０の引張変化量が変わるようにすることにより、前記弾性部材１５０の形状変化量の測定によって外部から圧力の大きさを視認するようにする。
【００７４】
このために、前記ピストン１３１は二重構造の第１ピストン１３１ａ及び第２ピストン１３１ｂを空間に結合させ、前記第１ピストン１３１ａの一側面に確認部材１３２を形成し、前記第２ピストン１３１ｂには確認部材１３２を収容する凹部１３４を形成する。
【００７５】
そして、前記第１ピストン１３１ａの確認部材１３２と第２ピストン１３１ｂの凹部１３４の間に前記弾性部材１５０を介装することで、ロッドバー１３３及び第２ピストン１３１ｂに連動する弾性部材１５０によって第１ピストン１３１ａを移動させて空間で負圧または正圧を選択的に発生させるようにする。
【００７６】
これにより、前記確認部材１３２の外周面に表示された単位目盛り１３５または弾性部材の形状変化量によって、つまり前記弾性部材１５０の自体弾性による引張及び圧縮状態によって負圧または正圧の大きさを確認することができる。
【００７７】
すなわち、注射器を通じて脂肪などの人体組職を抽出する場合、針を人体の局所部位に刺し込んだ後、ロッドバー１３３を後方に移動させれば、第１ピストン１３１ａと第２ピストン１３１ｂの間に結合された弾性部材１５０の弾性力によって第１ピストン１３１ａを連動させる。
【００７８】
前記空間１２１の後方に第１ピストン１３１ａ及び第２ピストン１３１ｂが移動すれば、前記第１ピストン１３１ａの前方に位置する空間１２１で負圧が発生して針を通じて人体組職が抽出される。
【００７９】
ここで、弾性部材１５０の自体弾性力が空間１２１の圧力以上の場合に負圧が発生する。
【００８０】
施術者の間違いでロッドバー１３３をあまり速く移動させて空間１２１で発生する負圧が弾性部材１５０の引張力より高く発生する場合、弾性部材１５０に高引張力がかかって弾性部材１５０の引張の長さが長くなる。
【００８１】
この際、施術者は引っ張られた弾性部材１５０の長さを確認部材１３２の目盛り１３５から肉眼で確認して現在の圧力発生状態が正常でないことを確認することができる。
【００８２】
一方、正圧を発生させる場合、空間１２１に充填された脂肪及び薬物を人体に注入するために、針を人体に刺し込んだ後、ロッドバー１３３を前方に移動させれば、第２ピストン１３１は弾性部材１５０を圧縮させながら第１ピストン１３１ａを前方に移動させる。
【００８３】
前記第１ピストン１３１ａが前方に移動すれば、薬物が充填された空間で正圧が発生して脂肪及び薬物が人体内に注入される。
【００８４】
この際、施術者が間違いでロッドバー１３３の前進移動速度を高めて、正圧が過度に発生して弾性部材１５０の自体弾性の圧縮力より正圧が高くなる場合、弾性部材１５０の弾性によって長さが短くなる。
【００８５】
この際、施術者は圧縮された弾性部材１５０の形状変化量または確認部材１３２の目盛り１３５を肉眼で確認して圧力変化を細密に把握することができる。
【００８６】
図１６に示す他の実施例における、ラックギア１３３ａとピニオンギア２６０の作動によって圧力を発生させる圧力発生装置は、前記圧力表示装置が適用可能であり、前述した圧力表示装置と同様な効果を持つ。
【実施例４】
【００８７】
図１３及び図１４に示す他の実施例における、注射器の圧力発生装置の圧力表示装置は次のようである。
【００８８】
前記ピストン１３１に握力を伝達する過程中にロッドバー１３３に結合された弾性部材１５０を圧縮させるようにすることで、伝達される圧力によって弾性部材１５０の圧縮形状の変化量が変わるようにし、前記弾性部材１５０の形状変化量の測定によって外部から圧力の大きさを視認することができるように構成される。
【００８９】
このために、注射器にはロッドバー１３３、ハウジング１４０、カバー１４２及びボタン１４１が備えられる。
【００９０】
前記ロッドバー１３３の外周面には前記ハウジング１４０がスライド可能に結合される。
【００９１】
そして、前記ハウジング１４０の一端にカバー１４２が固定され、前記ロッドバー１３３の一端にはカバー１４２に収容されるボタン１４１が固定される。
【００９２】
そして、カバー１４２の内部に弾性部材１５０が装着され、前記レバー２４０によってハウジング１４０が移動すれば、カバー１４２が連動して弾性部材１５０を加圧する。
【００９３】
この際、弾性部材１５０の圧縮力がシリンダー１２０の空間１２１の圧力以上の場合、前記弾性部材１５０の弾性力によってボタン１４１が後方に押され、前記ボタン１４１と一体に固定されたロッドバー１３３を介して空間１２１の内部でピストン１３１を移動させて負圧を発生させる。
【００９４】
また、前記ピストン１３１が装着された付近のロッドバー１３３とボタン１４１の外周面にはそれぞれ単位目盛り１３５が表示されることで、弾性部材１５０の自体弾性による形状変化の状態を肉眼でも確認することができるようにするとともに単位目盛り１３５でも圧力変化を確認することができるようにして、注射器の外部から圧力の変化状態をより手軽くチェックすることができる。
【００９５】
これにより、圧力の視認性を向上させることができると共に注射器の空間で発生した圧力の大きさを細密に把握することができるので、脂肪及び薬物の注入または人体組職の抽出のための精密な注射施術が可能である。
【００９６】
また、図１５に示すように、注射器においてラックギア１３３ａ及びピニオンギア２６０の構造によって圧力を発生させる装置には、前記ラックギア１３３ａが外周面に形成されたハウジング１４０の一端に図１３及び図１４に示した圧力表示装置が同様に設置されることにより、図１３及び図１４と同様に弾性部材１５０の形状変化量及び単位目盛りの数値変化量から圧力変化を容易で精密に視認することが可能である。
【００９７】
ここで、前記弾性部材１５０はゴムまたはスプリングからなり、材質の特性上、自体弾性を持つ材質及び弾性を持つ構造体であればいずれでも適用可能である。
【符号の説明】
【００９８】
１００    注射器
１１０    先端部
１１１    針
１２０    シリンダー
１２１    空間
１２２    シリンダーフランジ
１３０    圧力手段
１３１    ピストン
１３１ａ  第１ピストン
１３１ｂ  第２ピストン
１３２    確認部材
１３３    ロッドバー
１３３ａ  ラックギア
１３４    凹部
１３５    目盛り
１４０    ハウジング
１４１    ボタン
１４２    カバー
１５０    弾性部材
２００    補助装置
２１０    ブロック
２１１    可動空間
２１２    固定空間
２１３    貫通孔
２１５    固定クリップ
２１６    固定リブ
２２０    運動変換手段
２２１    可動ブロック
２２２    固定ブロック
２４０    レバー
２４１    スプリング
２４２    加圧突起
２５０    ガイドブロック
２６０    ピニオンギア
２６１    内接ギア
２６２    中心軸
２７０    回転具
２８０    ラッチギア
２８１    スプリング
２９０    補助ラッチギア
【図１】
0005989771.tif 000002
【図２】
0005989771.tif 000003
【図３】
0005989771.tif 000004
【図４】
0005989771.tif 000005
【図５】
0005989771.tif 000006
【図６】
0005989771.tif 000007
【図７】
0005989771.tif 000008
【図８】
0005989771.tif 000009
【図９】
0005989771.tif 000010
【図１０】
0005989771.tif 000011
【図１１】
0005989771.tif 000012
【図１２】
0005989771.tif 000013
【図１３】
0005989771.tif 000014
【図１４】
0005989771.tif 000015
【図１５】
0005989771.tif 000016
【図１６】
0005989771.tif 000017